(57)【要約】【課題】カードと袋体の各印字部に対して一度の印字動作で同時に印字できるので、各印字部に対する印字内容に齟齬が生じないカードシート付き袋体を提供する。【課題の解決手段】カードシート付き袋体１は、表紙２と裏紙３とを三周縁で綴じ合わせ、一縁を開口５してなる袋体１ａの表出面に情報印字部１３，１４を設け、袋体１ａの一端にミシン目７を境にしてカードシート６を一体的に設け、このカードシート６には表出面に情報印字部を有するカード１０を分離可能に設けるとともに、カード１０の情報印字部は袋体１ａの情報印字部１３，１４と同一面側に位置する。【選択図】　　図１
2004059109.tif 000002
【特許請求の範囲】
【請求項１】
表紙と裏紙とを三周縁で綴じ合わせ、一縁を開口してなる袋体の表出面に情報印字部を設け、前記袋体の一端にカードシートを設け、前記カードシートには表出面に情報印字部を有するカードを分離可能に設けるとともに、前記カードの情報印字部と前記袋体の情報印字部とが同一面側に位置することを特徴とするカードシート付き袋体。
【請求項２】
袋体表出面の情報印字部は、医薬品情報印字部を有することを特徴とする請求項１記載のカードシート付き袋体。
【請求項３】
表紙または裏紙の一方は透視可能な合成樹脂フィルム製であり、表紙または裏紙の他方は紙製であり、カードシートは、前記紙製の表紙または裏紙を延設して一体的に設けたシート基材に、カードをスリットおよび／またはミシン目で区画形成するとともに、前記カードより大きな保持片を前記シート基材の裏面側に前記カードに対して相対的に剥離可能に接着してなることを特徴とする請求項１又は請求項２に記載のカードシート付き袋体。
【請求項４】
表紙または裏紙の一方は、基材の一面に粘着剤を塗布するとともに、この粘着剤を剥離紙で被覆したうえ、前記剥離紙によって表紙または裏紙の他方と三周縁で綴じ合わせてなり、袋体の開口端に対応する前記剥離紙を所定幅にわたって剥離することによって、前記基材に前記開口を封鎖する封緘片を形成することを特徴とする請求項１又は請求項２に記載のカードシート付き袋体。
【請求項５】
カードシートは、カードをシート基材にスリットおよび／またはミシン目で区画形成したうえ、前記カードより大きな保持片を前記シート基材の裏面側に前記カードに対して相対的に剥離可能に接着してなるとともに、その一端を表紙または裏紙の一端に接着したことを特徴とする請求項１又は請求項２に記載のカードシート付き袋体。
【発明の詳細な説明】
【０００１】
【発明の属する技術分野】
本発明は、薬品や部品などの各種物品を収容する袋体に関し、より詳細にはカードシートを付設した袋体に関する。
【０００２】
【従来の技術】
従来の袋体、例えば薬局や病院などの医療機関で使用する医薬品を収容するための袋体（一般に薬袋と称される）は、通常、表紙と裏紙からなり、表紙の表出面に患者名と収容する薬品の名称などを記入する記入部を有するが、この記入部への記入は、処方箋に記載された所定事項を薬剤師や看護師が手書きで書き写している。また、例えば、各種の小さな部品を収納する袋体も、表紙と裏紙からなり、表紙の表出面に使用対象製品と収納した部品の名称や品番などを記入する記入部を有するが、この記入部への記入は、注文票に記載された所定事項を作業者が手書きで書き写している。
【０００３】
【発明が解決しようとする課題】
このため、従来においては、記入部への記入ミスや、袋体への収納物の取り違えなどが発生し、このようなミスによって、投薬や組立作業において事故を起こす虞がある。本発明は、このような事情に鑑みてなされたもので、手書き記入を不要とし、また、袋体と収納物の照合を確実なものすることができる袋体を提供することを目的とする。
【０００４】
【課題を解決するための手段】
この目的を達成するため、本発明の請求項１に係るカードシート付き袋体は、表紙と裏紙とを三周縁で綴じ合わせ、一縁を開口してなる袋体の表出面に情報印字部を設け、前記袋体の一端にカードシートを設け、前記カードシートには表出面に情報印字部を有するカードを分離可能に設けるとともに、前記カードの情報印字部と前記袋体の情報印字部とが同一面側に位置することを特徴とする。
【０００５】
同じく上述の目的を達成するため、本発明の請求項２に係るカードシート付き袋体は、上記請求項１の構成における袋体表出面の情報印字部が、医薬品情報印字部を有することを特徴とする。すなわち、袋体を薬袋に適用したものである。
【０００６】
同じく上述の目的を達成するため、本発明の請求項３に係るカードシート付き袋体は、上記請求項１又は請求項２の構成において、表紙または裏紙の一方は透視可能な合成樹脂フィルム製であり、表紙または裏紙の他方は紙製であり、カードシートは、前記紙製の表紙または裏紙を延設して一体的に設けたシート基材に、カードをスリットおよび／またはミシン目で区画形成するとともに、前記カードより大きな保持片を前記シート基材の裏面側に前記カードに対して相対的に剥離可能に接着してなることを特徴とする。
【０００７】
同じく上述の目的を達成するため、本発明の請求項４に係るカードシート付き袋体は、上記請求項１又は請求項２の構成において、表紙または裏紙の一方は、基材の一面に粘着剤を塗布するとともに、この粘着剤を剥離紙で被覆したうえ、前記剥離紙によって表紙または裏紙の他方と三周縁で綴じ合わせてなり、袋体の開口端に対応する前記剥離紙を所定幅にわたって剥離することによって、前記基材に前記開口を封鎖する封緘片を形成することを特徴とする。
【０００８】
同じく上述の目的を達成するため、本発明の請求項５に係るカードシート付き袋体は、上記請求項１又は請求項２の構成において、カードシートは、カードをシート基材にスリットおよび／またはミシン目で区画形成したうえ、前記カードより大きな保持片を前記シート基材の裏面側に前記カードに対して相対的に剥離可能に接着してなるとともに、その一端を表紙または裏紙の一端に接着したことを特徴とする。
【０００９】
【発明の実施の形態】
以下、本発明を薬袋に適用した場合の好適な実施形態を添付図面に基づいて詳細に説明する。ここにおいて、図１は第１の実施形態を示す平面図、図２はそのＡ−Ａ線断面図、図３は第２の実施形態たる開口を第１の実施形態とは反対側に設けた実施形態を示す断面図、図４は第３の実施形態たる封緘片を設けた実施形態を示す平面図、図５はそのＢ−Ｂ線断面図、図６は開口を封鎖した状態の断面図、図７は第４の実施形態たるカードシートを袋体と別体に形成した実施形態を示す断面図である。
【００１０】
まず、第１の実施形態を説明する。図１及び図２に示すように、カードシート付き薬袋１は、表紙２と裏紙３の三周縁を接着剤４で接着して綴じ合わせ、一縁は非接着状態として薬品を出し入れする開口５とした薬袋１ａと、カードシート６とからなる。前記表紙２と前記裏紙３の開口５端は、前記裏紙３を若干長く延出して前記開口５における薬品の出し入れを容易にしている。前記表紙２は、透明で印字可能な合成樹脂フィルム、例えば透明なＰＥＴフィルムからなり、また、前記裏紙３は、上質紙からなる。
【００１１】
またカードシート６は、裏紙３の開口５端とは反対側を延設し、ミシン目７を境として前記裏紙３と一体的に設けている。このカードシート６は、前記裏紙３と同様に、上質紙からなるシート基材８にスリット９で診療予約カード１０を区画形成し、シート基材８の裏面側には、前記診療予約カード１０よりも大きな保持片１１を剥離可能な接着力の弱い接着剤１２を介して剥離可能に接着して前記カード１０を保持する。
【００１２】
図１で明らかなように、表紙２の表出面には、患者名を印字する患者名印字欄１３と薬品名や服用法などを印字する医薬品情報印字部たる薬品情報印字欄１４を設けている。なお、印字面である前記表紙２の表出面に、使用するプリンタに応じた印字適性を向上させるための処理、例えばインキジェットプリンタを用いるのであれば、インキジェット受容層を形成する処理を施すと好適である。また、診療予約カード１０の表出面は情報印字部となり、その用途に応じた各種情報を印字するもので、本実施形態における診療予約カード１０の場合には、患者名、診療科名、担当医師名、予約日時などを印字する。そして、この情報印字部と前記患者名印字欄１３及び前記薬品情報印字欄１４とは同一面側に位置している。
【００１３】
続いて、以上のように構成したカードシート付き薬袋１の使用方法を説明する。まず、診療機関において、インキジェットプリンタなどの適宜な公知のプリンタを用いて、薬袋１ａの表紙２における患者名印字欄１３及び薬品情報印字欄１４と、診療予約カード１０における情報印字部に、所定の情報を印字する。
【００１４】
このようにして所定の情報（図示せず）を印字後、医療機関は、処方箋とともにカードシート付き薬袋１を患者名記入欄１３に印字された患者に手渡す。患者は、処方箋の内容と薬品情報印字欄１４に印字された内容とを照合して誤りがないことを確認した後、ミシン目７を破断して、薬袋１ａとカードシート６とを分離し、さらに診療予約カード１０を捲り上げて分離したうえ、薬袋１ａを調剤薬局に持参する一方、前記診療予約カード１０は保管して、次回の診療時に持参する。そして、調剤薬局では、薬品情報印字欄１４に印字された薬品名に対応する薬品を薬袋１ａに収容して、患者に手渡すものである。
【００１５】
この薬袋１ａへの薬品の収容にあたっては、薬袋１ａの表紙２に印字された内容と処方箋の内容とを照合しつつ、収容する薬品を確認して行うことができるので、薬品の入れ間違いを避けることができる。また、薬袋１ａ内に薬品を収容後にも、透明な表紙２を透して薬品の確認が可能である。
【００１６】
続いて、図３に基づき第２の実施形態を説明する。本実施形態のカードシート付き薬袋２１が上述した第１の実施形態のカードシート付き薬袋１と相違する点は、開口２５の位置だけであり、他の構成及び作用は上述した第１の実施形態と同様であるから、対応する構成要素に同一符号を付するに止め、その詳細な説明は省略する。
【００１７】
次に、図４〜図６に基づき第３の実施形態を説明する。図４及び図５に示すように、カードシート付き薬袋３１は表紙３２と裏紙３３の三周縁を接着剤３４で接着して綴じ合わせ、一縁は非接着状態として薬品を出し入れする開口３５とした薬袋３１ａと、カードシート４０とからなる。前記表紙３２と前記裏紙３３の開口３５端は、前記表紙３２を若干長く延出して前記開口３５における薬品の出し入れを容易にしている。前記表紙３２は、上質紙からなる基材３６の裏面側に粘着剤３７を塗布し、この粘着剤３７を剥離紙３８で被覆してなる。一方、前記表紙３２の剥離紙３８側に綴じ合わされた前記裏紙３３は、透明で印字可能な合成樹脂フィルム、例えば透明なＰＥＴフィルムからなる。
【００１８】
カードシート４０は、表紙３２の開口３５端とは反対側を延設し、ミシン目３９を境として前記表紙３２と一体的に設けている。このカードシート４０は、前記表紙３２の基材３６と同一の上質紙からなるシート基材４１にスリット４２で診療予約カード４３を区画形成し、シート基材４１の裏面側には、前記診療予約カード４３よりも大きな保持片４４を剥離可能な接着力の弱い接着剤４５を介して剥離可能に接着して前記診療予約カード４３を保持する。
【００１９】
図４で明らかなように、表紙３２の表出面には、患者名を印字する患者名印字欄４６と薬品名や服用法などを印字する医薬品情報印字部たる薬品情報印字欄４７を設けている。また、診療予約カード４３の表出面は、上述した第１の実施形態におけると同様の診療予約に関連した情報を印字する情報印字部となり、この情報印字部と前記患者名印字欄４６及び前記薬品情報印字欄４７とは同一面側に位置している。
【００２０】
図４及び図５に示すように、表紙３２の基材３６には、裏紙３３の開口３５端に対応位置して、ハーフスリット４８を設けている。また、表紙３２の剥離紙３８には、同じく裏紙３３の開口３５端に対応位置して、スリット４９を設けている。前記表紙３２の前記ハーフスリット４８から端部側で封緘片３６ａを構成する。
【００２１】
本実施形態の使用方法は、上述した第１の実施形態と同様であり、異なるのは封緘片３６ａを利用して開口３５を封緘できる点である。すなわち、表紙３２の患者名印字欄４６、薬品情報印字欄４７及び診療予約カード４３の情報印字部に、所定の情報を印字したうえ、ミシン目３９を破断してカードシート４０を分離した薬袋３１ａに、印字情報が対応する薬品Ｘを収容した後、図６に示すように、スリット４９から端縁側の剥離紙３８を剥離し、基材３６の一部である封緘片３６ａをハーフスリット４８で裏紙３３側に折り曲げて、この封緘片３６ａを露出した粘着剤３７で前記裏紙３３に接着し、開口３５を封鎖することができる。
【００２２】
次に、図７に基づき第４の実施形態を説明する。本実施形態におけるカードシート付き薬袋５１は、表紙５２と裏紙５３の三周縁を接着剤５４で接着して綴じ合わせ、一縁は非接着状態として薬品を出し入れする開口５５とした薬袋５１ａと、カードシート６０とからなる。前記表紙５２と前記裏紙５３の開口５５端は、前記裏紙５３を若干長く延出して前記開口５５における薬品の出し入れを容易にしている。前記表紙５２は透明で印字可能な合成樹脂フィルム、例えば透明なＰＥＴフィルムからなる一方、前記裏紙５３は上質紙からなる。
【００２３】
カードシート６０は、上質紙からなるシート基材６１にスリット６２で診療予約カード６３を区画形成し、前記シート基材６１の裏面側には、前記診療予約カード６３よりも大きな保持片６４を剥離可能な接着力の弱い接着剤６５を介して剥離可能に接着して前記診療予約カード６３を保持する。そして、このカードシート６０は、裏紙５３の開口５５端側に、接着剤６６で接着するとともに、ミシン目６７を設けて薬袋５１ａから分離可能としている。
【００２４】
本実施形態のその他の構成は上述した第１の実施形態と同様であるからその説明は省略する。本実施形態にあっても、第１の実施形態と同様にして、表紙５２とカード６３にそれぞれ設けた情報印字部（図示せず）に所定の情報を印字して、使用することができる。
【００２５】
なお、本発明は、上述した各実施形態に限定されるものではなく、例えば、第３及び第４の各実施形態における開口３５，５５をそれぞれ反対側に設けてもよい。また、各表紙２，５２及び裏紙３３は、必ずしも透明である必要はなく、加えて、印字対象も表紙２，３２，５２に限らない。さらに、本発明に係るカードシート付き袋体１，２１，３１，５１は、カードシート付き薬袋１，２１，３１，５１のほか、部品収容用のカードシート付き部品袋などの他の用途にも適用可能である。
【００２６】
【発明の効果】
以上説明したところで明らかなように、本願の請求項１に係る発明によれば、カードと袋体の各印字部が同一面側に位置するので、各印字部に対して一度の印字動作で同時に印字でき、各印字部に対する印字内容に齟齬をきたすことがないという効果を奏する。
【００２７】
また、本願の請求項２に係る発明によれば、カードと袋体の各印字部が同一面側に位置するので、各印字部に対して一度の印字動作で同時に印字でき、各印字部に対する印字内容に齟齬をきたすことがなく、通常の注意力をもって行えば、収容物の取り違えをする虞はないので、薬袋として好適であるという効果を奏する。
【００２８】
さらに、本願の請求項３に係る発明によれば、上述した請求項１又は請求項２に係る発明の効果に加えて、表紙または裏紙の一方が透明なので、収容物の確認が容易であるという効果を奏し得る。
【００２９】
さらにまた、本願の請求項４に係る発明によれば、上述した請求項１又は請求項２に係る発明の効果に加えて、封緘片を設けたので袋体の開口の封鎖が容易であるという効果を奏する。
【００３０】
またさらに、本願の請求項５に係る発明によれば、上述した請求項１又は請求項２に係る発明の効果に加えて、カードシートと袋体とは別体に構成したので、カードシートと袋体を各別に製造したうえ、カードシートを袋体の適宜な一端に綴じ合わせることで、同一構成のカードシートと袋体から異なった構成のカードシート付き袋体を得ることができるという効果を奏する。
【図面の簡単な説明】
【図１】第１の実施形態を示す平面図。
【図２】図１のＡ−Ａ線断面図。
【図３】第２の実施形態を示す断面図。
【図４】第３の実施形態を示す平面図。
【図５】図４のＢ−Ｂ線断面図。
【図６】同実施形態における開口を封鎖した状態の断面図。
【図７】第４の実施形態を示す断面図。
【符号の説明】
１，２１，３１，５１　　　カードシート付き薬袋
１ａ，３１ａ，５１ａ　　　薬袋
２，３２，５２　　　表紙
３，３３，５３　　　裏紙
４，１２，３４，４５，５４，６４，６６　　　接着剤
５，２５，３５，５５　　　開口
６，４０，６０　　　カードシート
７，３９，６７　　　ミシン目
８，４１，６１　　　シート基材
９，４２，４９，６２　　　スリット
１０，４３，６３　　　診療予約カード
１１，４４，６５　　　保持片
１３，４６　　　患者名印字欄
１４，４７　　　薬品情報印字欄
３６ａ　　　封緘片
３７　　　粘着剤
３８　　　剥離紙
【図１】
2004059109.tif 000003
【図２】
2004059109.tif 000004
【図３】
2004059109.tif 000005
【図４】
2004059109.tif 000006
【図５】
2004059109.tif 000007
【図６】
2004059109.tif 000008
【図７】
2004059109.tif 000009